(57)【要約】【課題】心理的な負担を感じることなく、常習的な口呼吸を鼻呼吸に是正する口唇粘着剤を提供する。【解決手段】人体に無害な成分によって口唇粘着剤を構成し、所定の粘着性を示し、上下の口唇を少なくとも１ないし３時間粘着し得るようにする。寒天又はカラギーナンと、水によって膨潤してコロイド状になる糖類とを水に溶解して煮詰めて口唇粘着剤を得ることができる。また、ポリマー微小球及び粘着基剤を主成分とし、水性を示す口唇粘着剤であってもよい。【選択図】  図２
2004242896.tif 000002
【特許請求の範囲】
【請求項１】
人体に無害な成分によって構成されて所定の粘着性を示し、上下の口唇を少なくとも１ないし３時間粘着し得るようになしたことを特徴とする口唇粘着剤。
【請求項２】
寒天又はカラギーナンと、水によって膨潤してコロイド状になる糖類とを水に溶解して煮詰めてなる請求項１記載の口唇粘着剤。
【請求項３】
糖類がオリゴ糖である請求項２記載の口唇粘着剤。
【請求項４】
ポリマー微小球及び粘着基剤を主成分とし、水性を示す請求項１記載の口唇粘着剤。
【請求項５】
水１００ｃｃに寒天３ｇ〜５ｇを入れ、加熱によって溶解した後、オリゴ糖を５０ｃｃ〜７０ｃｃ加え、所望の粘着性となるように煮詰めるようにしたことを特徴とする口唇粘着剤の製造方法。
【発明の詳細な説明】
【０００１】
【発明の属する技術分野】
本発明は口唇粘着剤に関し、例えば常習的な口呼吸を鼻呼吸に是正できるようにした粘着剤に関する。
【０００２】
【従来の技術】
多くの人は無意識のうちに口呼吸をしてしまいやすい。口呼吸を続けていると、鼻の奥方の扁桃リンパ組織にかびが生えたような状態となり、白血球の減少、ひいては免疫力の低下を招来する。また、口呼吸では鼻呼吸のように吸い込んだ空気を十分に濾過できず、空気と一緒に吸い込んだ細菌やウイルスが咽の扁桃リンパ組織を直撃するとともに、そのまま肺に侵入してしまう。その結果、細菌やウイルスが体内に侵入しやすくなり、喘息、アトピー性皮膚炎、リウマチ、扁桃腺炎等の各種の病気を引き起こす。
【０００３】
また、常習的に口呼吸を行っていると、就寝中にも口呼吸を行ない、いびきの原因になるとともに、体内に酸素が十分にとりいれられず、体力や集中力が停止し、最悪の場合には窒息のおそれがある。
【０００４】
そこで、常習的な口呼吸を鼻呼吸に是正すべく、プラスチック製芯付きのテープを鼻の中程を横切るように貼りつけ、プラスチックの復元力を利用して鼻腔を拡張し、空気を通りやすくする方法、あるいは閉じた口唇の上から粘着テープを貼りつけ、口呼吸を抑制する方法（特許文献１、参照）が提案されている。
【０００５】
【特許文献１】特開平１０−３０５１００号公報
【０００６】
【発明が解決しようとする課題】
しかし、口や鼻にテープを貼ったままで外出するのは心理的に負担が大きく、特に女性の場合にはその負担が顕著である。その結果、口呼吸是正の有効な方法でありながら、昼間の屋外においては利用し難いという問題がある。
【０００７】
本発明はかかる問題点に鑑み、心理的な負担を感じることなく、口呼吸を鼻呼吸に是正できるようにすることを課題とする。
【０００８】
【課題を解決するための手段】
本件発明者ら上述の課題を解決すべく鋭意研究したところ、粘着剤で唇をくっつけるようにすればよいことを着目するに至った。しかし、口唇に塗布するものであるので、人体に有害でないこと、及び唾液によって粘着力が低下しないことが要求される。
【０００９】
そこで、本発明に係る口唇粘着剤は、人体に無害な成分によって構成されて所定の粘着性を示し、上下の口唇を少なくとも１ないし３時間粘着し得るようになしたことを特徴とする。
【００１０】
本発明の特徴の１つは人体に無害な成分によって粘着剤を構成するようにしたので、口唇の粘着に用いても無害であるばかりでなく、少なくとも１〜３時間粘着性を示すので，会話、欠伸、咳等によって口を大きく開いても、口を閉じると口唇が粘着されることとなる。
【００１１】
その結果、常習的な口呼吸が抑制されて鼻呼吸が促進されるので、常習的に鼻呼吸が行われるようになり、口呼吸の弊害、例えばいびき、免疫力の低下、喘息、アトピー性皮膚炎、リウマチ、扁桃腺炎等の各種の病気を未然に抑制できることとなる。
【００１２】
本発明の口唇粘着剤は人体に無害で、所定時間口唇を付着できるものであればどのような粘着剤でもよい。例えば、寒天又はカラギーナンと、水によって膨潤してコロイド状になる糖類とを水に溶解して煮詰めてなる粘着剤を用いることができる。寒天及びカラギーナンはゲル化剤として公知のものである。
【００１３】
また、ポリマー微小球と粘着基剤を主成分とし、水性を示す粘着剤を用いることもできる。この水性粘着剤は例えば粘着テープや粘着ラベルの分野で用いられている微小球粘着剤又は微小球を含有する粘着剤を用いることができる。ポリマー微小球は例えば、（メタ）アクリル酸エステル共重合系樹脂、ポリイソブチレン系樹脂、ポリイソプレン系樹脂等の粘弾性を示す微小球、あるいはスラレン樹脂、ポリエチレン樹脂、ポリエステル樹脂、ポリウレタン樹脂等の剛性を示す微小球を用いることができる。微小球の径は１〜５００μｍ、好ましくは１〜１００μｍが好ましい。
【００１４】
粘着基剤にはアクリル系ラテックス等の各種ラテックス、澱粉や酸化澱粉、メチルセルロース等の各種セルロース、ゼラチン、カゼイン、大豆タンパク等の水溶性粘着剤、アクリル系粘着剤、合成ゴム系粘着剤あるいは天然ゴム系粘着剤を用いることができる。
【００１５】
ポリマー微小球と粘着基剤の比率は特に限定されず、粘着テープや粘着ラベルに用いられている粘着剤で採用されている比率を採用すればよい。また、ポリマー微小球及び粘着基剤に加え、適切な添加剤、例えば界面活性剤を添加することもできる。
【００１６】
寒天と糖類とを主成分とする場合、人体に無害であるばかりでなく、寒天とコロイド状になる糖類とを水に溶解して煮詰めて得られる粘着性は多少の唾液等には影響されず、長時間にわたって良好な粘着性が維持される。
【００１７】
糖類は加水分解によって２分子以上の単糖を生ずる糖をいい、二糖、三糖、四糖のオリゴ糖も含まれる。本発明では水によって膨潤してコロイド状になる糖であることが大切である。例えば、オリゴ糖、デンプン、グリコーゲン、イヌリン、リケニンが好ましい。
【００１８】
口唇粘着剤を作製する場合、水に寒天を加え、加熱によって溶解させた後、水に膨潤させた糖類を添加し、所望の粘着性がでるまで煮詰める。水、寒天、糖類の割合は水１００ｃｃ、寒天３ｇ〜５ｇ、例えばオリゴ糖の場合には５０ｃｃ〜７０ｃｃとするのがよい。
【００１９】
【発明の実施の形態】
〔実施例１〕
鍋に水１００ｃを入れ、その中に寒天３ｇを細かく千切って入れ、寒天を吸水させてふやかし、鍋を弱火にかけ、攪拌しながら寒天を溶解させる。次に、水に膨潤させたコロイド状のイソマルオリゴ糖５０ｃｃを加え、中火又は弱火で２０〜３０分間、トロッとした飴状になるまで煮詰めて口唇粘着剤を得た。
【００２０】
〔実施例２〕
寒天を４ｇ、イソマルオリゴ糖を６０ｃｃとした以外、実施例１と同様にして口唇粘着剤を得た。
【００２１】
〔実施例３〕
寒天を５ｇ、イソマルオリゴ糖を７０ｃｃとした以外、実施例１と同様にして口唇粘着剤を得た。
【００２２】
〔実施例４、５〕
寒天に代え、カラギーナンを用いた以外、実施例１、２と同様にして口唇粘着剤を得た。
【００２３】
〔実施例６〕
直径１〜１００μｍのアクリル酸エステル共重合系樹脂製の微小球１０ｇと、アクリル系ラテックス８５ｇ、界面活性剤５ｇとを混合して口唇粘着剤を得た。
【００２４】
〔使用例〕
実施例１〜６の口唇粘着剤を適量指にとり、図２に示されるように上唇と下唇とが重なる部位（図２の×印の部位）に塗布し、図１に示されるように上唇と下唇とを重ね合わせた。上唇と下唇とは特別に閉じようと意識しなくとも重ね合わせた状態に保持された。また、会話をする場合、普通に口を開けるようにすると、上唇と下唇との粘着が外れ、会話の障害とすることはなかった。さらに、口を再び閉じると、上唇と下唇とは重ね合わせた状態に粘着された。粘着効果は塗布する量にもよるが、１時間〜３時間程度維持することが確認された。
【図面の簡単な説明】
【図１】本発明に係る口唇粘着剤の使用方法を説明するための図である。
【図２】本例の口唇粘着剤の使用方法を説明するための図である。
【図１】
2004242896.tif 000003
【図２】
2004242896.tif 000004